(57)【要約】      （修正有）【課題】扉体とロッカーの枠体間に簡便に嵌装可能で、かつ適宜着脱できるロッカー等への施錠金具と、施工性が良好、既設のロッカー等に装着可能な施錠金具と、構造簡単、かつコスト安価な施錠金具と、破壊困難な施錠金具を提供する。【解決手段】施錠金具１０は、剛性又は／及び耐衝撃性を有する素材、例えば、ステンレス鋼板を折曲して一端側にロッカーＬの枠体Ｌｗに形成された戸当たり部Ｌａに嵌合する嵌合部１１を形成すると共に、嵌合部１１から延設された他端側には、シリンダー付ダイヤル南京錠ＤＬの錠杆ＤＬｃを掛止する長楕円状の挿通孔１２ｈを穿設した錠掛止部１２からなり、嵌合部１１と戸当たり部Ｌａを固定するための固定手段Ｋ１を具備している。【選択図】図３
2013245548.tif 000002
【特許請求の範囲】
【請求項１】
剛性又は／及び耐衝撃性を有する素材からなり、一端側にロッカー等の戸当たり部に嵌合する嵌合部を形成すると共に、前記嵌合部から延設された他端側には施錠部材を掛止する錠掛止部とからなり、
前記嵌合部には、該嵌合部とロッカー等の戸当たり部を固定するための固定手段を具備してなる、
ことを特徴とするロッカー等への着脱可能な施錠金具。
【請求項２】
前記固定手段が、前記嵌合部に前記戸当たり部へ加圧する方向に形成された弾性片である、
ことを特徴とする請求項１に記載したロッカー等への着脱可能な施錠金具。
【請求項３】
前記固定手段が、前記嵌合部の内側片に設けたナットと、
該ナットに螺合する固定ボルトからなる、
ことを特徴とする請求項１に記載したロッカー等への着脱可能な施錠金具。
【請求項４】
前記固定手段が、前記嵌合部の外側片に嵌着されたマグネットである、
ことを特徴とする請求項１に記載したロッカー等への着脱可能な施錠金具。
【請求項５】
前記剛性又は／及び耐衝撃性を有する素材が、金属材料、硬質合成樹脂材料である、
ことを特徴とする請求項１〜請求項４に記載したロッカー等への着脱可能な施錠金具。
【発明の詳細な説明】
【技術分野】
【０００１】本発明は、ロッカー等の枠体及び戸当たり部と扉体間に嵌装される、ロッカー等への着脱可能な施錠金具に関する。
【背景技術】
【０００２】従来より、企業や学校等の更衣室等には１〜複数の縦長状筐体が連結されたロッカーが常設され、従業員や学生等は自己の衣服や履物、携帯品等を一時的に収納しておく場所として利用している。一般的にロッカーの各筐体にはシリンダー錠が装着され、管理者は利用者に施解錠用の鍵を貸与している。しかしながら、シリンダー錠の鍵はしばしば紛失したり、ロッカー利用者が退職や卒業等に際し、貸与した鍵が管理者に未返却となる事態や既設ロッカーの製作完了に伴うスペアキーの追加製作ができない等の状況になることがある。したがって、これらの状況等に伴い、管理者は解錠不能のロッカーを使用不可とするか、業者に依頼して解錠と錠の取替を行わなければならないという不具合が生じている。【０００３】また使用中のロッカーの鍵を第三者（例えば、鍵拾得者等）が所持し、犯罪行為の可能性が考えられる場合、これを未然に防止する施錠装置等の開発も期待されている。【０００４】上記のような不具合等を解消する一方策として、ロッカーの管理者及び利用者にとっては、施解錠に際しての鍵が不要な、例えばシリンダー付番号可変南京錠やダイヤル式施錠装置等の装着が好ましい。しかし、鍵不要の錠を装着するには、ロッカーに上記するような施錠部材を取り付ける装置ないし取付具を組み付けなければならない。【０００５】特許文献１（図１、参照）は、シリンダー錠とダイヤル錠を組み合わせてなる南京錠であり、特許文献２（図１、参照）の防犯錠は、施錠機構にダイヤル式施錠機構を用いるものであり、本願発明者は、先にこれを開発し実用化したもので、ロッカーの鍵及びその管理等に関する上記の不具合等に鑑みて鋭意検討し、特許文献１及び特許文献２等が活用できることに着目して本願発明を完成したものである。
【先行技術文献】
【特許文献】
【０００６】
【特許文献１】実用新案登録第３１６９２８５号公報
【特許文献２】実用新案登録第３１５６５４９号公報
【発明の概要】
【発明が解決しようとする課題】
【０００７】本願発明が解決しようとする第１の課題は、扉体とロッカーの枠体間に簡便に嵌装可能で、かつ必要に応じて適宜着脱できるロッカー等への施錠金具を提供することにあり、第２の課題は、施工性が良好で、既設のロッカー等にも装着可能な施錠金具を提供することであり、第３の課題は、構造が簡単であり、かつ製作コストも安価な施錠金具を提供することにあり、第４の課題は、破壊困難な施錠金具を提供することにある。
【課題を解決するための手段】
【０００８】課題を解決するための手段は、本願、特許請求の範囲の各請求項に記載の発明であり、その具体的な解決手段は、以下の通りである。【０００９】上記の課題を解決する第１の発明は、請求項１に記載の発明であり、
剛性又は／及び耐衝撃性を有する素材からなり、一端側にロッカー等の戸当たり部に嵌合する嵌合部を形成すると共に、前記嵌合部から延設された他端側には施錠部材を掛止する錠掛止部とからなり、前記嵌合部には、該嵌合部とロッカー等の戸当たり部を固定するための固定手段を具備してなる、ことを特徴とするものである。【００１０】上記の課題を解決する第２の発明は、請求項２に記載の発明であり、
請求項１に記載したロッカー等への着脱可能な施錠金具であって、前記固定手段が、前記嵌合部の内側片に前記戸当たり部へ加圧する方向に形成された弾性片である、ことを特徴としている。【００１１】上記の課題を解決する第３の発明は、請求項３に記載の発明であり、
請求項１に記載したロッカー等への着脱可能な施錠金具であって、前記固定手段が、前記嵌合部の内側片に設けたナットと、該ナットに螺合する固定ボルトからなる、ことを特徴としている。【００１２】上記の課題を解決する第４の発明は、請求項４に記載の発明であり、
請求項１に記載したロッカー等への着脱可能な施錠金具であって、前記固定手段が、前記嵌合部の外側片に嵌着されたマグネットである、
ことを特徴としている。【００１３】上記の課題を解決する第５の発明は、請求項５に記載の発明であり、
請求項１〜請求項４に記載したロッカー等への着脱可能な施錠金具であって、前記剛性又は／及び耐衝撃性を有する素材が、金属材料、硬質合成樹脂材料である、ことを特徴としている。
【発明の効果】
【００１４】本願発明に係る、ロッカー等への着脱可能な施錠金具は、上記のような特徴的構成要件から構成され、特徴的構成要件に応じた、以下のような本願発明特有の効果を奏する。また、上記のような特徴的構成要件から構成されたロッカー等への着脱可能な施錠金具によれば、本願発明の課題を十分解消することができた。すなわち、第１の発明によれば、「剛性又は／及び耐衝撃性を有する素材からなり、一端側にロッカー等の戸当たり部に嵌合する嵌合部を形成すると共に、前記嵌合部から延設された他端側には施錠部材を掛止する錠掛止部とからなり、前記嵌合部には、該嵌合部とロッカー等の戸当たり部を固定するための固定手段を具備してなる」という特徴的構成要件により、また第２の発明によれば、「前記固定手段が、前記嵌合部の内側片に前記戸当たり部へ加圧する方向に形成された弾性片である」という当業界において想到することが極めて困難な特徴的構成要件により、
扉体とロッカーの枠体間に簡便に嵌装可能で、かつ必要に応じて適宜着脱できるロッカー等への施錠金具の提供という、本願発明の第１の課題と、施工性が良好で、既設のロッカー等にも装着可能な施錠金具の提供という、第２の課題を解決すると共に、以下の効果を奏することができた。すなわち、取付金具と固定手段を具備してなる本願発明の施錠金具を介して、例えば、シリンダー付ダイヤル南京錠やダイヤル式施錠装置等を掛止することができるので、ロッカーの利用者は、鍵を所持しないうえに自分好みの数字を設定することができ、安心してロッカーを使用することができる。また、ロッカーを使用しないときや、又はロッカーの使用用途等が変わり施錠装置が不要となったときなどは、管理者は簡単な手動工具を用いるか、もしくはボルトの形状を変えることにより、工具なしで施錠金具をロッカーの枠体から簡単に取り外すことができると共に、設定番号の変更等の管理はシリンダー錠で行うことができる。さらに本願発明の施錠金具は、既設のシリンダー錠付きのロッカーにも容易に装着可能であり、使用中のロッカーの鍵を第三者が所持している可能性があっても、ワンドア・ツーロックとして、犯罪行為を未然に防止する効果がある。【００１５】第３の発明によれば、「固定手段が、前記嵌合部の内側片に設けたナットと、該ナットに螺合する固定ボルトとからなる」という特徴的構成要件から構成され、また第４の発明によれば、「固定手段が、前記嵌合部の外側片に嵌着されたマグネットである」という特徴的構成要件から構成されているので、施工性が良好で、既設のロッカー等にも装着可能な施錠金具の提供という第２の課題と、構造が簡単であり、かつ製作コストも安価な施錠金具の提供という第３の課題を併せて解決することができた。すなわち第３の発明における施錠金具の固定手段は、取付金具における嵌合部の内側片に予め設けられたナットと固定ボルトであり、ドライバー等の作業工具、もしくはボルトの形状を変えることにより、工具なしでロッカーの戸当たり部に容易に着脱することが可能である。
また第４の発明の固定手段は、嵌合部の外側片に嵌着されたマグネットであり、その磁力によって金属製ロッカーの戸当たり部に自動的に磁着して施錠金具は固定される。さらに第３の発明及び第４の発明で使用される部品点数と製作工程は、上記のように少ないので製作コストを安価とすることができる。【００１６】第５の発明によれば、「前記剛性又は／及び耐衝撃性を有する素材が、金属材料、硬質合成樹脂材料である」という特徴的構成要件により、
破壊困難な施錠金具の提供という第４の課題を解決することができた。すなわち、ハンマー又はバール等の工具等を用いて施錠金具を破壊しようとしても、その素材特性により破壊行動を断念させることができ、防犯上有効な効果を奏することができる。
【図面の簡単な説明】
【００１７】
【図１】は、本発明に係る、ロッカー等への着脱可能な施錠金具の第１の実施形態を示し、（ａ）は平面図、（ｂ）は図１におけるｂ−ｂ線断面図、（ｃ）は斜視図である。
【図２】は、同上の施錠金具と共にロッカー等の施錠に用いる他の部材を示し、（ａ）はシリンダー付ダイヤル南京錠の斜視図、（ｂ）はアダプターの斜視図、（ｃ）は、アダプターの側面図である。
【図３】は、同上の施錠金具をロッカー等に施錠した状態を示す横断面図である。
【図４】は、本発明に係る、施錠金具の第２の実施形態を示し、（ａ）は正面図、（ｂ）は平面図、（ｃ）は側面図である。
【図５】は、同上の施錠金具をロッカー等に施錠した状態を示す横断面図である。
【図６】（ａ）、（ｂ）は、ロッカー等の枠体及び戸当たり部の形状を模式的に示す平面図である。
【図７】は、本発明に係る、施錠金具の第３の実施形態を示し、（ａ）は正面図、（ｂ）は平面図、（ｃ）は側面図である。
【図８】は、同上の施錠金具をロッカー等に施錠した状態を示す横断面図である。
【図９】（ａ）は、施錠金具の第４の実施形態を示す正面図、（ｂ）は、施錠金具の第５の実施形態を示す正面図である。
【図１０】は、ダイヤル式施錠機構を用いた防犯錠を示し、（ａ）は正面図、（ｂ）は平面図、（ｃ）は側面図である。
【図１１】は、同上を第１の実施形態である施錠金具に装着した状態の横断面図である。
【発明を実施するための形態】
【００１８】図１〜図３は、本発明に係る、ロッカー等への着脱可能な施錠金具の第１の実施形態を示している。施錠金具１０は、剛性又は／及び耐衝撃性を有する素材、例えばステンレス鋼板を折曲して一端側にロッカーＬの枠体Ｌｗに形成された戸当たり部Ｌａに嵌合する嵌合部１１を形成すると共に、嵌合部１１から延設された他端側には、シリンダー付ダイヤル南京錠ＤＬの錠杆ＤＬｃを掛止する長楕円状の挿通孔１２ｈを穿設した錠掛止部１２からなり、嵌合部１１と戸当たり部Ｌａを固定するための固定手段Ｋ１を具備している。固定手段Ｋ１は、図１の（ａ）及び（ｂ）に示すように、嵌合部１１の内側片１１ａをコ字状に打ち抜き、その打ち抜き残余部を加圧する方向に形成された弾性片である。錠掛止部１２は図示するように補強のために先端部で折り返されてスポット溶接１２ａされている。図１（ｂ）に示すｔ２は、嵌合部１１に形成された開口部の巾寸法で、少なくとも戸当たり部Ｌａの厚さ寸法ｔ１（図３、参照）より大とされている。
【００１９】図２（ａ）〜（ｃ）は、施錠金具１０と共にロッカーＬ等の施錠に用いる他の部材を示し、ＤＬはシリンダー付ダイヤル南京錠で、ＤＬｃは錠杆である。Ａはアダプター、Ａｈは施錠金具１０の錠掛止部１２を挿通するための挿通孔である。
Ａｂは軟質樹脂材又はゴム材等からなる緩衝材で、扉体Ｄの表面を保護するために取り付けられている。
【００２０】図３は、ロッカーＬの枠体Ｌｗ及び戸当たり部Ｌａに施錠金具１０を嵌装し、アダプターＡ、緩衝材Ａｂを介してシリンダー付ダイヤル南京錠ＤＬを施錠した状態を示している。図示するように、戸当たり部Ｌａは固定手段Ｋ１である弾性片によって、嵌合部１１の外側片１１ｂに強く圧接され固定される。また施錠金具１０の延設部１３は枠体Ｌｗの縦框Ｌｂに当接し、扉体Ｄの木口Ｄａと延設部１３間には僅かな隙間ができるように設定されている。
【００２１】ロッカーＬに扉体Ｄを施錠するには、ロッカーＬの枠体Ｌｗから外方に突設している錠掛止部１２にアダプターＡの挿通孔Ａｈを挿し込んだ後、シリンダー付ダイヤル南京錠ＤＬの錠杆ＤＬｃを錠掛止部１２の挿通孔１２ｈに掛止し、ロッカーＬの利用者が設定したダイヤル番号を回して施錠する。扉体Ｄを開扉するには、シリンダー付ダイヤル南京錠ＤＬに設定しているダイヤルの番号を回して解錠し、錠杆ＤＬｃを錠掛止部１２の挿通孔１２ｈから取り外し、続いてアダプターＡを錠掛止部１２から手前側に抜き出せば、扉体Ｄを開扉することができる。
【００２２】図４〜図５は、本発明に係る、施錠金具の第２の実施形態を示している。施錠金具２０は、施錠金具１０と同様に剛性又は／及び耐衝撃性を有する素材、例えばステンレス鋼板を折曲及び穿設加工して製作される。一端側に平面視コ字状の嵌合部２１が形成され、固定手段Ｋ２として、その内側片２１ａには透孔２１ｈが穿設されていると共に、ナットＮが溶着され、該ナットＮに螺合する固定ボルトＢが取り付けられている。２２は錠掛止部で、２２ｈは挿通孔、２３は延設部である。図６（ａ）、（ｂ）は、ロッカーＬ等の枠体Ｌｗ及び戸当たり部Ｌａの形状を示し、施錠金具２０の装着に好適である。施錠金具２０を戸当たり部Ｌａに取り付けるには、図５に示すように、嵌合部２１を戸当たり部Ｌａに嵌め込んだ後、ナットＮに螺合している固定ボルトＢの頭部Ｂａを指先又はドライバー等の回転工具を用いて戸当たり部Ｌａを嵌合部２１の外側片２１ｂに圧接するように捻じ込んで固定する。
【００２３】ロッカーＬに扉体Ｄを施錠又は解錠するための動作手順は、施錠金具の第１の実施形態と同様であるからその説明は省略する。
【００２４】図７〜図８は、本発明に係る、施錠金具の第３の実施形態を示している。施錠金具３０は、施錠金具１０と同様に剛性又は／及び耐衝撃性を有する素材、例えばステンレス鋼板を折曲及び穿設加工して製作される。一端側に平面視コ字状の嵌合部３１が形成され、固定手段Ｋ３としてはマグネットを用いることができる。マグネットは、嵌合部３１の外側片３１ｂに穿設された１〜複数の嵌合孔３１ｈに嵌着され、両面接着テープ３１ｓや接着剤等で固定される。
【００２５】ロッカーＬに扉体Ｄを施錠又は解錠するための動作手順は、施錠金具の第１の実施形態と同様であるからその説明は省略する。
【００２６】図９（ａ）は、施錠金具の第４の実施形態を示し、施錠金具４０は、第１の実施形態である施錠金具１０の変形例であり、剛性又は／及び耐衝撃性を有する素材、例えばステンレス鋼板を折曲して一端側にロッカーＬの枠体Ｌｗに形成された戸当たり部Ｌａに嵌合する嵌合部４１を形成すると共に、嵌合部４１から延設された他端側上下部には施錠部材（不図示）を掛止するＵ字状の錠掛止部４２が形成されている。固定手段Ｋ１は、図１の（ａ）及び（ｂ）に示す施錠金具１０と同様な舌片状の弾性片である。
【００２７】図９（ｂ）は、施錠金具の第５の実施形態を示し、施錠金具５０は、第２の実施形態である施錠金具２０の変形例であり、剛性又は／及び耐衝撃性を有する素材、例えばステンレス鋼板を折曲して一端側にロッカーＬの枠体Ｌｗに形成された戸当たり部Ｌａに嵌合する嵌合部５１を形成すると共に、嵌合部５１から延設された他端側上下部には施錠部材（不図示）を掛止するＵ字状の錠掛止部５２が形成されている。固定手段Ｋ２は、図４の（ａ）、（ｂ）及び（ｃ）に示す施錠金具２０と同様にナットＮに螺合する固定ボルトＢである。
【００２８】以上説明した施錠金具１０、２０、３０、４０及び５０の素材は、剛性又は／及び耐衝撃性を有する金属材料、例えばステンレス鋼板、ダイカスト鋳造法で製造される亜鉛合金又はロストワックス鋳造法で製造される鋳造金属等であり、また合成樹脂材料、例えばＦＲＰ（繊維強化プラスチック）等から選択することができる。またその製作方法は、その素材により、切断、折曲、穿孔、溶接等の工作工程を経て製作されたり、又は上述の各種鋳造法を用いたり、硬質樹脂材は公知の成型技術が適宜選択される。さらに、施錠部材を掛止する錠掛止部１２、２２、３２、４２、及び５２の形状は、図示する形状、例えば、長楕円形やＵ字状形に限定することなく、施錠部材に適合する各種形状とすることが可能である。
【００２９】図１０は、ダイヤル式施錠機構を用いた防犯錠ＧＬを示している。防犯錠ＧＬは、ダイヤル式施錠機構ＧＬａ、ラッチボールＧＬｂ、ラッチボール操作片ＧＬｃ及び施錠金具１０の錠掛止部１２が挿出入可能なスリット溝ＧＬｄが設けられている（図１１、参照）。Ａｂは軟質樹脂材又はゴム材等からなる緩衝材で、扉体Ｄの表面を保護するために取り付けられている。
【００３０】図１１は、防犯錠ＧＬを第１の実施形態である施錠金具１０に装着した状態であり、ロッカーＬに扉体Ｄを施錠又は解錠するための動作手順は、施錠金具１０の錠掛止部１２にスリット溝ＧＬｄを嵌入し、ラッチボール操作片ＧＬｃを回動操作して行うことができる。
【００３１】ロッカーＬの管理者は、ロッカーＬを使用しないとき、又はロッカーＬの使用用途等が変わったり、施錠装置が不要となったときなどは、管理者は施錠金具１０、２０、３０、４０及び５０をロッカーＬの枠体Ｌｗから取り外すことができる。以下に各施錠金具１０、２０、３０、４０及び５０の戸当たり部Ｌａからの取り外しの動作手順について説明する。
施錠金具１０は、扉体Ｄを開扉した状態で、例えば、錠掛止部の先端を片手で把持し、枠体Ｌｗと接している屈曲部を支点にして左右に揺動すれば、固定手段Ｋ１である弾性片と嵌合部１１は戸当たり部Ｌａから離脱することができる。
施錠金具２０は、扉体Ｄを開扉した状態で、例えば、ドライバー又はペンチ等の工具（不図示）で固定ボルトＢの頭部Ｂａを逆回転すれば、固定ボルトＢの先端部Ｂｂは戸当たり部Ｌａから離間するので、施錠金具２０はロッカーＬの枠体Ｌｗから簡単に取り外すことができる。
施錠金具３０は、扉体Ｄを開扉した状態で、枠体Ｌｗから突設している錠掛止部３２を片手で把持し、これを左右に揺動すれば、固定手段Ｋ３のマグネットは縦框Ｌｂと戸当たり部Ｌａから容易に離間することができる。施錠金具４０は、施錠金具１０と同様の手順で戸当たり部Ｌａから容易に取り外すことができる。
施錠金具５０は、施錠金具２０と同様の手順で戸当たり部Ｌａから容易に取り外すことができる。
【産業上の利用分野】
【００３２】本願発明に係る施錠金具は、更衣室等に設置される更衣ロッカーの他、戸当たり部を形成し、開閉扉体を有する事務用機器、収納機器等にも使用することができる。
【００３３】以上本願発明に係る、ロッカー等への着脱可能な施錠金具に関し、その実施形態に基づいて説明したが、本発明は、上記実施形態に記載した構成、形状等に限定されるものではなく、その趣旨を逸脱しない範囲において適宜その構成を変更することができる。
【符号の説明】
【００３４】Ｄ・・・扉体、Ｌ・・・ロッカー、Ｌｗ・・・枠体、Ｌａ・・・戸当たり部、１０、２０、３０、４０、５０・・・施錠金具、ＤＬ・・・シリンダー付ダイヤル南京錠、ＤＬｃ・・・錠杆、Ａ・・・アダプター、Ａｈ・・・挿通孔、１１、２１、３１、４１、５１・・・嵌合部、１１ａ、２１ａ、３１ａ、・・・内側片、１１ｂ、２１ｂ、３１ｂ・・・外側片、１２、２２、３２、４２、５２・・・錠掛止部、１２ｈ、２２ｈ、３２ｈ・・・挿通孔、１３、２３、３３・・・延設部、Ｋ１、Ｋ２、Ｋ３・・・固定手段、Ｎ・・・ナット、Ｂ・・・固定ボルト
【図１】
2013245548.tif 000003
【図２】
2013245548.tif 000004
【図３】
2013245548.tif 000005
【図４】
2013245548.tif 000006
【図６】
2013245548.tif 000007
【図５】
2013245548.tif 000008
【図７】
2013245548.tif 000009
【図８】
2013245548.tif 000010
【図９】
2013245548.tif 000011
【図１０】
2013245548.tif 000012
【図１１】
2013245548.tif 000013